【手続補正書】
【提出日】平成20年6月6日(2008.6.6)
【手続補正１】
【補正対象書類名】特許請求の範囲
【補正対象項目名】全文
【補正方法】変更
【補正の内容】
【特許請求の範囲】
【請求項１】
内視鏡装置に組み合わされて使用され、挙上した生体組織から病変部を切除する医療用処置装置であって、
前記挙上方向と直交する方向に移動して前記挙上した生体組織を切断する切断手段と、
前記切断手段より挙上方向側に設けられ、前記挙上した生体組織を、前記切断手段の切断開始位置及び切断終了位置の少なくとも２点で固定する固定手段と、
前記切断手段より挙上方向逆側に設けられ、前記挙上した生体組織を縫合して結紮する縫合結紮手段とを備え、
前記固定手段は、固定した前記少なくとも２点において、生体組織を、前記挙上方向及び該挙上方向の逆方向に向かう移動を規制しながら、挙上方向に直交する面に沿う少なくとも一方向に移動可能に固定することを特徴とする医療用処置装置。
【請求項２】
請求項１に記載の医療用処置装置において、
内部空間を有し、前記内視鏡装置の内視鏡挿入部を前記内部空間に収容した状態で、体内に挿入される可撓性の挿入部材を備え、
前記挿入部材の先端側には、該挿入部材の軸線方向と直交する方向に沿って前記挙上した生体組織を前記挿入部材の内部空間に導く導入孔が形成されていることを特徴とする医療用処置装置。
【請求項３】
請求項１又は２に記載の医療用処置装置において、
前記挿入部材の基端側に設けられ、前記切断手段を操作する切断手段操作部と、
前記挿入部材の基端側に設けられ、前記固定手段を操作する固定手段操作部と、
前記挿入部材の基端側に設けられ、前記縫合結紮手段を操作する縫合結紮手段操作部とを備えることを特徴とする医療用処置装置。
【請求項４】
請求項１〜３のいずれか１項に記載の医療用処置装置において、 
前記固定手段は、前記挙上した生体組織を穿刺して固定する進退自在な針状部材であることを特徴とする医療用処置装置。
【請求項５】
請求項４に記載の医療用処置装置において、 
前記縫合結紮手段は、前記挙上した生体組織を前記軸線方向に沿って縫合結紮し、
前記針状部材は、前記軸線方向に沿って進退自在であることを特徴とする医療用処置装置。
【請求項６】
請求項４又は５に記載の医療用処置装置において、
前記固定手段は、前記切断手段による切断の際に、前記切断手段の移動方向に対して前記挙上した生体組織の移動を規制する規制手段を備えていることを特徴とする医療用処置装置。
【請求項７】
請求項４に記載の医療用処置装置において、 
前記針状部材は、前記軸線方向及び前記挙上方向の２方向に対して直交する方向に進退自在であることを特徴とする医療用処置装置。
【請求項８】
請求項４から７のいずれか１項に記載の医療用処置装置において、 
前記針状部材は複数設けられ、前記固定手段操作部により同時に操作されることを特徴とする医療用処置装置。
【請求項９】
請求項１から３のいずれか１項に記載の医療用処置装置において、
前記固定手段は、前記挙上された生体組織を両側から挟んで固定する一対の挟持部と、該一対の挟持部の対向面にそれぞれに設けられ、挟持部に沿って移動可能な複数の挟持ピースとを備え、
該複数の対向する挟持ピース間に前記挙上した生体組織を挟んだ状態で固定すると共に、該挟持状態を維持しながら生体組織の移動に伴って挟持ピースが移動することを特徴とする医療用処置装置。
【請求項１０】
請求項９に記載の医療用処置装置において、
前記固定手段は、前記切断手段による切断の際に、前記切断手段の移動方向に対して前記挙上した生体組織の移動を規制する規制手段を備えていることを特徴とする医療用処置装置。
【請求項１１】
請求項９又は１０に記載の医療用処置装置において、
前記複数の挟持ピースは、前記挙上した生体組織に接触するまでの間、予め決められた所定位置に位置するように位置決めされていることを特徴とする医療用処置装置。
【手続補正２】
【補正対象書類名】明細書
【補正対象項目名】０００９
【補正方法】変更
【補正の内容】
【０００９】
上記の目的を達成するために、この発明は以下の手段を提供している。
請求項１に係る発明は、内視鏡装置に組み合わされて使用され、挙上した生体組織から病変部を切除する医療用処置装置であって、前記挙上方向と直交する方向に移動して前記挙上した生体組織を切断する切断手段と、前記切断手段より挙上方向側に設けられ、前記挙上した生体組織を、前記切断手段の切断開始位置及び切断終了位置の少なくとも２点で固定する固定手段と、前記切断手段より挙上方向逆側に設けられ、前記挙上した生体組織を縫合して結紮する縫合結紮手段とを備え、前記固定手段は、固定した前記少なくとも２点において、生体組織を、前記挙上方向及び該挙上方向の逆方向に向かう移動を規制しながら、挙上方向に直交する面に沿う少なくとも一方向に移動可能に固定する医療用処置装置を提供する。
また、請求項２に係る発明は、請求項１に記載の医療用処置装置において、内部空間を有し、前記内視鏡装置の内視鏡挿入部を前記内部空間に収容した状態で、体内に挿入される可撓性の挿入部材を備え、前記挿入部材の先端側には、該挿入部材の軸線方向と直交する方向に沿って前記挙上した生体組織を前記挿入部材の内部空間に導く導入孔が形成されている医療用処置装置を提供する。
また、請求項３に係る発明は、請求項１又は２に記載の医療用処置装置において、前記挿入部材の基端側に設けられ、前記切断手段を操作する切断手段操作部と、前記挿入部材の基端側に設けられ、前記固定手段を操作する固定手段操作部と、前記挿入部材の基端側に設けられ、前記縫合結紮手段を操作する縫合結紮手段操作部とを備える医療用処置装置を提供する。
【手続補正３】
【補正対象書類名】明細書
【補正対象項目名】００１５
【補正方法】変更
【補正の内容】
【００１５】
請求項４に係る発明は、請求項１から３のいずれか１項に記載の医療用処置装置において、前記固定手段が、前記挙上した生体組織を穿刺して固定する進退自在な針状部材である医療用処置装置を提供する。
【手続補正４】
【補正対象書類名】明細書
【補正対象項目名】００１７
【補正方法】変更
【補正の内容】
【００１７】
請求項５に係る発明は、請求項４に記載の医療用処置装置において、前記縫合結紮手段が、前記挙上した生体組織を前記軸線方向に沿って縫合結紮し、前記針状部材が、前記軸線方向に沿って進退自在である医療用処置装置を提供する。
【手続補正５】
【補正対象書類名】明細書
【補正対象項目名】００１９
【補正方法】変更
【補正の内容】
【００１９】
請求項６に係る発明は、請求項４又は５に記載の医療用処置装置において、前記固定手段が、前記切断手段による切断の際に、前記切断手段の移動方向に対して前記挙上した生体組織の移動を規制する規制手段を備えている医療用処置装置を提供する。
【手続補正６】
【補正対象書類名】明細書
【補正対象項目名】００２１
【補正方法】変更
【補正の内容】
【００２１】
請求項７に係る発明は、請求項４に記載の医療用処置装置において、前記針状部材が、前記軸線方向及び前記挙上方向の２方向に対して直交する方向に進退自在である医療用処置装置を提供する。
【手続補正７】
【補正対象書類名】明細書
【補正対象項目名】００２３
【補正方法】変更
【補正の内容】
【００２３】
請求項８に係る発明は、請求項４から７のいずれか１項に記載の医療用処置装置において、前記針状部材は複数設けられ、前記固定手段操作部により同時に操作される医療用処置装置を提供する。
【手続補正８】
【補正対象書類名】明細書
【補正対象項目名】００２５
【補正方法】変更
【補正の内容】
【００２５】
請求項９に係る発明は、請求項１から３のいずれか１項に記載の医療用処置装置において、前記固定手段が、前記挙上された生体組織を両側から挟んで固定する一対の挟持部と、該一対の挟持部の対向面にそれぞれに設けられ、挟持部に沿って移動可能な複数の挟持ピースとを備え、該複数の対向する挟持ピース間に前記挙上した生体組織を挟んだ状態で固定すると共に、該挟持状態を維持しながら生体組織の移動に伴って挟持ピースが移動する医療用処置装置を提供する。
【手続補正９】
【補正対象書類名】明細書
【補正対象項目名】００２８
【補正方法】変更
【補正の内容】
【００２８】
請求項１０に係る発明は、請求項９に記載の医療用処置装置において、前記固定手段が、前記切断手段による切断の際に、前記切断手段の移動方向に対して前記挙上した生体組織の移動を規制する規制手段を備えている医療用処置装置を提供する。
【手続補正１０】
【補正対象書類名】明細書
【補正対象項目名】００３０
【補正方法】変更
【補正の内容】
【００３０】
請求項１１に係る発明は、請求項９又は１０に記載の医療用処置装置において、前記複数の挟持ピースが、前記挙上した生体組織に接触するまでの間、予め決められた所定位置に位置するように位置決めされている医療用処置装置を提供する。